(57)【要約】【課題】苛酷な取り扱いを受けても破壊しないカード用コネクタを提供する。【解決手段】略方形の板状に成形されたベースハウジング２と、カードを一端４１から挿入・抜去可能にしたメタルカバー４と、ベースハウジング２に装着され、コンタクト部３２１がベースハウジング２の表面から突出している複数の端子３とを備えている。メタルカバーの他端側４６の両側に、それぞれ、互いに対向する一対のヒンジプレート４９がメタルカバー４の延長方向で設けられ、対向するヒンジプレート４９で軸受部分７が構成されていると共に、軸受部分７に隣接して開放係合部分８が構成されている。軸受部分７をベースハウジング２に設けられたヒンジピン２５に嵌めて、ベースハウジング２に対してメタルカバー４が回動可能に連結されている。【選択図】  図１
2004207104.tif 000002
【特許請求の範囲】
【請求項１】
略方形の板状に成形されたベースハウジング（２）と、
カード（５）を一端（４１）から挿入・抜去可能にしたメタルカバー（４）と、
前記ベースハウジング（２）に装着され、コンタクト部（３２１）がベースハウジング（２）の表面（２１１）から突出している複数の端子（３）とを備えており、
前記メタルカバー（４）の他端（４６）側に、互いに対向する少なくとも一対のヒンジプレート（４９）がメタルカバー（４）の延長方向で設けられ、各ヒンジプレート（４９）の中間部に、互いに離れる方向で湾曲部（４９１）が形成され、対向する湾曲部（４９１）で軸受部分（７）が構成されていると共に、軸受部分（７）に隣接して開放係合部分（８）が構成されており、
２枚のヒンジプレート（４９）で構成された前記軸受部分（７）を前記ベースハウジング（２）に設けられたヒンジピン（２５）に嵌めて、ベースハウジング（２）に対してメタルカバー（４）が回動可能に連結されていることを特徴とするカード用コネクタ。
【請求項２】
前記ベースハウジング（２）には、メタルカバー（４）の外側に沿うようにした側壁（２２、２３）が設けられていると共に、前記メタルカバー（４）の側縁には係合突片（４８）が外向きに突出させて設けられており、前記側壁（２２、２３）に、メタルカバー（４）の回動時に係合突片（４８）が通過可能とした突片通路（９１）と、係合突片（４８）と回動方向で係合するようにした回動規制壁（９２）とでなるスライド係合部（９）が設けられている請求項１に記載のカード用コネクタ。
【請求項３】
前記２枚のヒンジプレート（４９）で構成された開放係合部分（８）は、ヒンジプレート（４９）の先端部に設けたテーパ部（４９２）を互いに対向させて、先端に向かって徐々に開いている請求項１又は２に記載のカード用コネクタ。
【請求項４】
前記ベースハウジング（２）の側壁（２２、２３）にネール（６）が装着され、ネール（６）から延びる係合部（６１）が、前記スライド係合部（９）の回動規制壁（９２）を構成している請求項２又は３に記載のカード用コネクタ。
【発明の詳細な説明】
【０００１】
【発明の属する技術分野】
この発明は、携帯電話機で用いられるＳＩＭ（Subscriber Identity Module）カードのようなカードを接続できるようにしたカード用コネクタに関する。
【０００２】
【従来の技術】
従来、この種のカード用コネクタとして、複数の端子が装着されたベースハウジングと、ベースハウジングに回動可能に設けられたカバーとで構成されたものがある。例えば、特許第３０８６２０９号公報の図１に示されている。同図において、１８がベースハウジング、２０がカバー、２８が端子である。また、特許第３０９２０６９号、実用新案登録第３０７８２２７号や、実開昭６２−１４７０１９号公報にも同種のものが開示されている。
【０００３】
前記ベースハウジングに装着された端子には、弾性コンタクト片が設けられ、コンタクト片に形成したコンタクト部がベースハウジングの表面から突出するようにしている。カードは、カバーの一端から挿入・抜去ができるようにされている。カードをカバーに挿入した後、カバーを回動させてベースハウジングの上に重なるようにすると、カードに設けられた接点パッドと端子のコンタクト部が弾接して電気的に導通するようにしている。
【０００４】
カバーをベースハウジングに対して回動可能とするために、カバーの他端(カードが挿入される端と反対の端)とベースハウジングの間でヒンジ機構が構成されている。通常、このヒンジ機構は、ベースハウジングとカバーの一方にヒンジピンを設け、他方に軸受部を設けて、互いに嵌まり合う構成とされている。前記特許第３０８６２０９号公報に開示されているカード用コネクタは、これと異なり、ベース１８の端部に、断面がＬ字形の肩部３２を設けてピン収容凹所４６ａ、４６ｂが隣接するように構成し、このピン収容凹所にカバー２０側の枢動ピン４４(図１０)を係合するようにしている。カバー２０がベース１８上で運動(スライド)可能としている（段落［００２４］、［００２７］参照）。
【０００５】
【発明が解決しようとする課題】
ところで、このような構成のカード用コネクタを使用するユーザーは、通常、カード用コネクタの構造や、取り扱い方法を熟知しているわけではない。特に、携帯電話機のユーザーにおいて顕著である。例えば、カバーからカード(ＳＩＭカード)を抜き取る際に、カードと共にカバーも引き抜いたりカードをメタルカバーと共に一気に回動させて抜去させるような無理な取り扱いを受けることもある。このような無理な取り扱いを受けると、ベースとカバーの間に設けたヒンジ機構等が破壊され、カード用コネクタの交換を余儀なくされる。したがって、苛酷な取り扱いにも耐えられる構造のカード用コネクタが望まれている。
【０００６】
この発明は、このような事情に鑑みて成されたもので、苛酷な取り扱いを受けても破壊しないカード用コネクタを提供することを目的としている。
【０００７】
【課題を解決するための手段】
上記の目的のもとに成されたこの発明のカード用コネクタは、略方形の板状に成形されたベースハウジングと、
カードを一端から挿入・抜去可能にしたメタルカバーと、
前記ベースハウジングに装着され、コンタクト部がベースハウジングの表面から突出している複数の端子とを備えており、
前記メタルカバーの他端側に、互いに対向する２枚のヒンジプレートがメタルカバーの延長方向で設けられ、各ヒンジプレートの中間部に、互いに離れる方向で湾曲部が形成され、対向する湾曲部で軸受部分が構成されていると共に、軸受部分に隣接して開放係合部分が構成されており、
２枚のヒンジプレートで構成された前記軸受部分を前記ベースハウジングに設けられたヒンジピンに嵌めて、ベースハウジングに対してメタルカバーが回動可能に連結されていることを特徴とするカード用コネクタである。
【０００８】
【作用】
上記のように構成されるこの発明のカード用コネクタによれば、ヒンジプレートをメタルカバーの延長方向で設け、このヒンジプレートを介して構成した軸受部分をベースハウジング側のヒンジピンに嵌めた構成としたので、メタルカバーがカードの抜去方向に引き抜かれたり、さらにはメタルカバーがカードと共にベースハウジングから離れる方向へ一気に回動させられて抜去されようとすると、ヒンジピンは軸受部分から開放係合部分を通して外部に脱出することができる。即ち、ヒンジピンと軸受部分の嵌め合いで構成したヒンジ機構の係合を解除し、メタルカバーがベースハウジングから分離するようにできる。したがって、メタルカバーが無理な取り扱いを受けたとしても、ヒンジ機構が破壊されるのを避けることができる。
【０００９】
少なくとも一対のヒンジプレートは、メタルカバーの他端両側に各一対ずつ設けるのが望ましい。このように各側にヒンジプレート対を設けると、ベースハウジング側に側壁を設け、この側壁からヒンジピンを突出させて、ヒンジプレートとの間でヒンジ機構を容易に構成することができる。
【００１０】
ベースハウジングに設ける側壁は、メタルカバーの外側に沿うように設けるのが望ましい。そして、メタルカバーの側縁に係合突片を外向きに突出させて設ける一方、ベースハウジング側の側壁には、メタルカバーの回動時に係合突片が通過可能となる突片通路と、係合突片と回動方向で係合する回動規制壁とでスライド係合部を設ける。このような構成によって、メタルカバーをベースハウジングに重なるように回動させた時、メタルカバーをベースハウジングに沿ってスライドさせて、係合突片と回動規制壁が回動方向で係合するようにして、ベースハウジングに重なったメタルカバーをその位置に保持することができる。
【００１１】
メタルカバーをベースハウジングに沿ってスライドさせた場合、ヒンジプレートの軸受部分に嵌まっていたヒンジピンは、開放係合部分に相対移動して、該部で係合する。この開放係合部分を、ヒンジプレートの先端部に設けたテーパ部を対向させて構成し、先端に向かって徐々に開いている構成とすると、テーパ部を介してメタルカバーを押して、前記係合突片と回動規制壁の係合が外れないようにすることができる。
【００１２】
ベースハウジングの側壁には、取付基板に半田付けされるネールを装着することができる。そして、このネールから延びる係合部で前記スライド係合部の回動規制壁を構成すると、メタルカバーがスライド後にメタルカバーの係合突片とネールの係合板が接触してメタルカバーとネールを電気的に導通させて、静電気の除去回路を形成することができる。
【００１３】
【発明の実施の形態】
以下、この発明の実施形態を添付の図を参照して説明する。
【００１４】
図１、２に示してあるように、実施形態のカード用コネクタ１は、ベースハウジング２と、ベースハウジング２に装着された複数の端子３と、ベースハウジング２に回動可能に設けられたメタルカバー４とを備えている。図３に示してあるように、メタルカバー４は、カード５を一端４１から挿入・抜去できるようにされている。
【００１５】
ベースハウジング２は、絶縁性のプラスチックで略方形の板状に成形されている。底板２１と、底板２１の両側縁から立ち上がる側壁２２、２３を有している。一方の側壁２２は、他方の側壁２３より長くされて前方に突出している。突出部分２２１には斜めの極性決め壁２４が設けられている。各側壁２２、２３の後端は、底板２１の後方に若干突出し、内側面にヒンジピン２５が互いに対向するように設けられている。このヒンジピン２５は、側壁２２、２３に一体となって成形されているが、金属ピンを後から植設するようにすることもできる。
【００１６】
底板２１の表面２１１側で対向している側壁２２、２３の内側面には、側壁２２、２３の高さ方向に形成された縦溝２６１と、縦溝２６１の下部に略直角となって前方に連続する横溝２６２でなる切欠凹所２６が形成されている。この切欠凹所２６は、各側壁２２、２３に対して２箇所ずつ間隔をおいて形成されている。各側壁２２、２３に形成された２つの切欠凹所２６のうち、前方の切欠凹所２６の横溝２６２は、上部が側壁２２、２３の肉部２２２、２３１で塞がれている。これに対して、後方の切欠凹所２６の横溝２６２は、上部が側壁２２、２３に装着した金属製のネール６に一体に形成した係合部６１で塞がれている。
【００１７】
ベースハウジング２の底板２１には、複数の端子装着溝２７が所定の位置に形成されて、各端子装着溝２７に端子３が一つずつ装着されている。
【００１８】
端子３は、薄金属板を打ち抜いて成形されている。ベースハウジング２の端子装着溝２７に挿入されて、そこに係合する帯状の装着片３１を有している。装着片３１からは、一方にコンタクト片３２が斜め上方に向かって片持ち梁状に延びている。コンタクト片３２の先端部には、弧状に湾曲成形されたコンタクト部３２１が設けられている。また、装着片３１から他方に半田テール３３が延びている。装着片３１を端子装着溝２７に装着すると、コンタクト片３２に設けたコンタクト部３２１が底板２１の表面２１１から上方に突出し、半田テール３３が底板２１の裏面２１２と略面一となるようにしている。
【００１９】
ベースハウジング２の底板２１の表面２１１から突出するようにしたコンタクト部３２１は、カード５の接点パッド５２と１対１の関係で対向できる配置とされている。
【００２０】
メタルカバー４は、比較的厚い金属板を打ち抜いて成形されている。方形板状の本体部４２の両側に側板４３が略直角に連続している。各側板４３の端縁から内側に、いくつかの折り返し片４４が略直角に連続している。このようにして、本体部４２の内側に形成されたカード収容空洞４５に、一端４１からカード５を挿入し(図３)、また、カード５を抜去できるようにしてある。本体部４２の他端４６には、ストッパ壁４７が設けられている。カード収容空洞４５に挿入したカード５の先端面がこのストッパ壁４７に当たって、挿入が停止できるようにしてある。
【００２１】
メタルカバー４の両側壁４３には、方形板状の係合突片４８が外向きに突出して設けられている。係合突片４８と本体部４２は板面が略平行である。係合突片４８は、各側板４３に２個ずつ設けられている。前記ベースハウジング２の側壁２２、２３に設けた切欠凹所２６の縦溝２６１の間隔に合わせて設けられている。
【００２２】
更に、メタルカバー４の他端４６側の両側に、それぞれ一対のヒンジプレート４９が、メタルカバー４の延長方向で設けられている。互いに対向しているヒンジプレート４９の一方は、本体部４２から直接連続して延びている。他方のヒンジプレート４９は、側板４３から内側に折り曲げられた連続板５０(図２)から延びている。
【００２３】
各対のヒンジプレート４９は、図１と図４〜６及び図１０、１１に表れているように、中間部に湾曲部４９１が互いに離れる方向で形成されている。また、湾曲部４９１より先端側に隣接させて、互いに離れる方向に傾斜するテーパ部４９２が形成されている。湾曲部４９１より基端側は、略平行となって対向するようにされている。このようにして、対向する湾曲部４９１の部分で軸受部分７が構成され、そして、対向するテーパ部４９２の部分で開放係合部分８が構成されている。
【００２４】
ヒンジプレート４９で構成された軸受部分７が、ベースハウジング２の側壁２２、２３の内面から突出させたヒンジピン２５に嵌められて、ヒンジ機構が構成され、メタルカバー４がベースハウジング２に対して回動可能に連結されている。メタルカバー４の回動の様子が図４に示されている。メタルカバー４は、矢示Aの方向で回動することができる。この図では、回動したメタルカバー４のいくつかの姿勢が、鎖線と実線で表されている。実際の使用では、実線で示されている位置と、ベースハウジング２の上に重なる位置の範囲で回動する程度である。
【００２５】
以上のように構成されている実施形態のカード用コネクタ１にカード５を挿入して接続する操作を説明する前に、このカード用コネクタ１が如何に苛酷な使用に耐えるかについて説明する。
【００２６】
苛酷な使用は、メタルカバー４に挿入されたカード５を抜去する際に最も起こりやすい。カード５の抜去は、図４に実線で示した如くの位置にメタルカバー４をカード５と共に回動させ、メタルカバー４の一端４１から突出しているカード５の縁５１の部分を指で摘んで、矢示Ｂのように引き抜くようにすればよい。この際に、誤って、メタルカバー４も一緒に引っ張られる事態が想定される。このようにメタルカバー４もカード５の抜去方向（矢示Ｂ）に引っ張られた場合、実施形態のカード用コネクタ１では、ヒンジ機構の係合を解除し、メタルカバー４とベースハウジング２を分離させ、ヒンジ機構を破壊から守ることができる。また、場合によってはカード５をメタルカバー４と共にベースハウジング２から離れる方向へ一気に回動させて抜去しようとした際には、結果的にメタルカバー４が前記の実際の使用範囲である実線で示した位置を超えて鎖線で示す位置まで瞬時に回動することになり、これによってメタルカバー４と、メタルカバー４に対向するヒンジプレート２５によって挟み込まれているヒンジピン２５に大きな負荷が加わってピンが変形したり、メタルカバー４自体が変形してしまう事態も想定される。このようにメタルカバー４に瞬発的な回動に伴う負荷がかかった場合でも、同様にカードコネクタ１ではヒンジ機構の係合を瞬時に解除し、メタルカバー４とベースハウジング２を分離させることによって、特にヒンジピン２５を含めたヒンジ機構、及びメタルカバー４自体の破壊を防ぐことができる。
【００２７】
即ち、メタルカバー４がカード５の抜去方向に引っ張られると、軸受部分７を構成した、対向するヒンジプレート４９が弾性変形して軸受部分７を開き、ヒンジピン２５は隣接する開放係合部分８を通して外部に脱出することができる。分離したメタルカバー４は、ヒンジプレート４９の開放係合部分８を通して軸受部分７にヒンジピン２５を再び嵌めることが可能で、メタルカバー４を元の回動可能の状態に簡単に復帰させることができる。
【００２８】
次に、カード５の接続について説明する。接続は、メタルカバー４を図４に実線で示した如くの位置に回動させ、一端４１からカード収容空洞４５内へカード５を挿入し、次いで、メタルカバー４をカード５と共にベースハウジング２側へ回動して、ベースハウジング２の上に重なるようにして行う。図５は、メタルカバー４がベースハウジング２の上に重なった状態の断面を示している。メタルカバー４がベースハウジング２の上に重なると、カード５の接点パッド５２は端子３のコンタクト部３２１に当接して押し下げ、そして、コンタクト片３２を弾性変形させて、その弾性反力で、コンタクト部３２１と接点パッド５２の間に適切な当接圧を形成する。この時、メタルカバー４の両側板４３はベースハウジング２の側壁２２、２３の内側に沿うように位置する。
【００２９】
ベースハウジング２の上に重なったメタルカバー４は、ベースハウジング２上で、側壁２２、２３に沿って、図６の矢示Ｃのように、スライドさせることができる。矢示Ｃの方向にメタルカバー４をスライドさせることで、メタルカバー４はベースハウジング２上で、以下に説明するようにしてロックされて、カード５と端子３の接続状態が維持される。メタルカバー４をスライドさせると、接点パッド５２がコンタクト部３２１に当接したままスライドするので、接点パッド５２及びコンタクト部３２１に拭い作用を与えることができる。したがって、接点パッド５２とコンタクト部３２１の電気的な接続を、安定で信頼性の高いものとすることができる。図７〜図９には、メタルカバー４をベースハウジング２の上でスライドさせた後の状態の平面図、左側面図、正面図の三面図が示されている。
【００３０】
図７に明らかなように、カード５が、カード収容空洞４５に対して表裏を反対にして挿入したり、前後を反対にして挿入する、誤挿入が行われた場合、メタルカバー４をベースハウジング２の上に正しく重なる位置まで回動できないようになっている。切除されていないカード５の角が、極性決め壁２４の上に乗るためである。
【００３１】
図１０及び図１１には、ヒンジプレート４９を介して設けた軸受部分７及び開放係合部分８とヒンジピン２５の係合部分が拡大して示されている。図１０は、メタルカバー４をベースハウジング２上でスライドさせる前の状態を表している。軸受部分７とヒンジピン２５でヒンジ機構が構成されて、メタルカバー４がヒンジピン２５の回りで回動可能であるのは前記の通りである。図１１は、メタルカバー４をベースハウジング２上でスライドさせた後の状態を表している。軸受部分７に嵌まっていたヒンジピン２５は、開放係合部分８の位置に相対的に移動する。この状態は、２枚のヒンジプレート４９の対向するテーパ部４９２がヒンジピン２５を強く挟んでいる。したがって、メタルカバー４には、矢示Ｃの方向への付勢力が働くことになる。このため、メタルカバー４には、スライドさせてロックした状態を維持するように働き、接点パッド５２とコンタクト部３２１の接続状態を安定に保持することができる。
【００３２】
図１２及び図１３には、メタルカバー４の側板４３から突出している係合突片４８と、ベースハウジング２の側壁２２、２３に設けた切欠凹所２６の部分が拡大して示されている。図１２は、メタルカバー４をベースハウジング２上でスライドさせる前の状態を表している。係合突片４８と切欠凹所２６の縦溝２６１の位置が合致している。したがって、メタルカバー４を前記の如くベースハウジング２に重なる方向で回動させる時には、縦溝２６１が係合突片４８の通過する突片通路９１となり、メタルカバー４がベースハウジング２の上に重なるまで回動することを可能にする。
【００３３】
図１３は、メタルカバー４をベースハウジング２上でスライドさせた後の状態を表している。係合突片４８は、切欠凹所２６の横溝２６２の方向に移動し、一部が横溝２６２の上部を仕切っている肉部２３１(２２２)と回動方向で係合する。この係合によってメタルカバー４がベースハウジング２から離れる方向への回動及び浮き上がりがロックされる。係合突片４８が係合する側壁２２、２３の肉部２２２、２３１は、回動規制壁９２となって、前記突片通路９１とで係合突片４８に対するスライド係合部９を構成している。
【００３４】
図１４及び図１５には、ネール６を設置した切欠凹所２６と係合突片４８の部分が拡大して示されている。図１４がメタルカバー４のスライド前、図１５がスライド後の状態である。この切欠凹所２６においても、縦溝２６１は、前記と同様に、係合突片４８に対する回動時の突片通路９１を構成している。メタルカバー４をスライドさせると、係合突片４８の一部は、横溝２６２の上部を塞いだネール６の係合部６１と係合するようになってロックされる。ここでは、ネール６の係合部６１が回動規制壁９２となって、突片通路９１とでスライド係合部９を構成している。
【００３５】
回動規制壁９２を構成したネール６の係合部６１は、図１６のように、断面を横Ｕ字状に形成されて、下側の係合板６１１が、係合突片４８と係合するようにしている。また、係合板６１１には、図１６に表れているように、係合突片４８側に突出する小突起６１２が設けられ、係合突片４８との間で電気的な接触が確実に形成できるようにされている。
【００３６】
ネール６の係合板６１１と、メタルカバー４の係合突片４８をこのように電気的な接触を形成するように係合させることによって、静電気の除去回路を形成することができる。メタルカバー４を操作する際、特に、カード５の挿入の際に、操作者の指先からメタルカバー４に流れる静電気をネール６を通してグランド回路に逃がし、携帯電話機等の筐体側の基板回路を保護することが可能である。
【００３７】
接続したカード５の取り出しは、メタルカバー４を上記の矢示Ｃと反対の方向へスライドさせてロックを解除し、次いで、メタルカバー４をベースハウジング２から離れる方向に回動させて行うことができる。
【００３８】
【発明の効果】
以上に説明したように、この発明によれば、ベースハウジングとメタルカバーを回動可能に連結したヒンジ機構をメタルカバーの延長方向で分離できる構成としたので、苛酷な取り扱いを受けても破壊しないカード用コネクタを提供することができる。またメタルカバーの係合突片とネールの係合板とを電気的な接触を形成するように係合させることによって、静電気の除去回路を形成し、筐体側の基板回路を保護することができる。
【図面の簡単な説明】
【図１】この発明の実施形態のカード用コネクタの後方から見た斜視図である。
【図２】同じく、実施形態のカード用コネクタの前方から見た斜視図である。
【図３】同じく、実施形態のカード用コネクタの前方から見た斜視図で、ＳＩＭカードを挿入した状態の図である。
【図４】同じく、実施形態のカード用コネクタの縦断面図で、メタルカバーを回動する状態の図である。
【図５】同じく、実施形態のカード用コネクタの縦断面図で、メタルカバーを回動してハウジングの上に重なった状態の図である。
【図６】同じく、実施形態のカード用コネクタの縦断面図で、メタルカバースライドさせた状態の図である。
【図７】実施形態のカード用コネクタの、メタルカバースライドさせた状態の平面図である。
【図８】同じく、実施形態のカード用コネクタの、メタルカバースライドさせた状態の左側面図である。
【図９】同じく、実施形態のカード用コネクタの、メタルカバースライドさせた状態の正面図である。
【図１０】図５のＫ部の拡大断面図である。
【図１１】図６のＬ部の拡大断面図である。
【図１２】図７のＭ部の拡大平面図で、メタルカバーをスライドさせる前の状態の図である。
【図１３】同じく、図７のＭ部の拡大平面図で、メタルカバーをスライドさせた後の状態の図である。
【図１４】図７のＮ部の拡大平面図で、メタルカバーをスライドさせる前の状態の図である。
【図１５】同じく、図７のＮ部の拡大平面図で、メタルカバーをスライドさせた後の状態の図である。
【図１６】図１５のＯ−Ｏ線に沿って示した拡大断面図である。
【符号の説明】
１          カード用コネクタ
２          ベースハウジング
２１        底板
２１１      表面
２１２      裏面
２２        側壁
２２１      突出部分
２２２      肉部
２３        側壁
２３１      肉部
２４        極性決め壁
２５        ヒンジピン
２６        スライド係合部
２６１      縦溝
２６２      横溝
２７        端子装着溝
３          端子
３１        装着片
３２        コンタクト片
３２１      コンタクト部
３３        半田テール
４          メタルカバー
４１        一端
４２        本体部
４３        側板
４４        折り返し片
４５        カード収容空洞
４６        他端
４７        ストッパ壁
４８        係合突片
４９        ヒンジプレート
４９１      湾曲部
４９２      テーパ部
５０        連続板
５          カード
５１        縁
５２        接点パッド
６          ネール
６１        係合部
６１１      係合板
６１２      小突起
７          軸受部分
８          開放係合部分
９          スライド係合部
９１        突片通路
９２        回動規制壁
【図１】
2004207104.tif 000003
【図２】
2004207104.tif 000004
【図３】
2004207104.tif 000005
【図４】
2004207104.tif 000006
【図５】
2004207104.tif 000007
【図６】
2004207104.tif 000008
【図７】
2004207104.tif 000009
【図８】
2004207104.tif 000010
【図９】
2004207104.tif 000011
【図１０】
2004207104.tif 000012
【図１１】
2004207104.tif 000013
【図１２】
2004207104.tif 000014
【図１３】
2004207104.tif 000015
【図１４】
2004207104.tif 000016
【図１５】
2004207104.tif 000017
【図１６】
2004207104.tif 000018